(57)【要約】【課題】  簡易な構造であるにもかかわらず、方向性を持って要潤滑部にピンポイントでオイルを供給することができる、チェーン潤滑装置を提供する。【解決手段】  機関本体に構成されるオイル通路からチェーン室１に向かってオイルを噴出するオイルジェット部７と、前記噴出されたオイルを所定位置に案内するオイル案内部５とを備え、チェーン室１は、前記機関本体とカバー体３とが合わさって形成されており、オイル案内部５は、カバー体３の、オイルジェット部７と対向する位置に設けられており、オイル案内部５は、オイルジェット部７から噴出されるオイル噴流を受け止めて、前記オイル噴流の流れの向きを変えて、前記オイル噴流をチェーン室１内のチェーン９とスプロケット１１との噛合い部１３に案内することを特徴とするチェーン潤滑装置。【選択図】  図１
2019148206.tif 000002
【特許請求の範囲】
【請求項１】
機関本体に構成されるオイル通路からチェーン室に向かってオイルを噴出するオイルジェット部と、前記噴出されたオイルを所定位置に案内するオイル案内部とを備え、
前記チェーン室は、前記機関本体とカバー体とが合わさって形成されており、
前記オイル案内部は、前記カバー体の、前記オイルジェット部と対向する位置に設けられており、
前記オイル案内部は、前記オイルジェット部から噴出されるオイル噴流を受け止めて、前記オイル噴流の流れの向きを変えて、前記オイル噴流を前記チェーン室内のチェーンとスプロケットとの噛合い部に案内することを特徴とするチェーン潤滑装置。
【発明の詳細な説明】
【技術分野】
【０００１】
本発明は、エンジンのタイミングチェーンとスプロケットとの噛合い部をオイルによって潤滑させる、チェーン潤滑装置に関する。
【背景技術】
【０００２】
従来、チェーン駆動エンジンの駆動系においては、エンジンのタイミングチェーンのスプロケット歯や、チェーンとスプロケットとの噛合い部を狙って、オイルジェットを噴射し、潤滑を改善することで磨耗や騒音悪化を防止する技術が提案されている（例えば、特許文献１、２参照）。
【先行技術文献】
【特許文献】
【０００３】
【特許文献１】実開平３−４５４０７号公報
【特許文献２】特開２００４−３５３５５１号公報
【発明の概要】
【発明が解決しようとする課題】
【０００４】
これらの技術では、いずれも、噛合い部近傍のボスや突起に向けてオイルを噴射し、反射または飛散させて油滴を噛合い部に供給するものであった。このとき、オイルの噴射には、オイルジェットが目的とする部分に噴射されるように、Ｌ字形状のノズルをブロックに方向を決めて圧入したり、噴射方向の調整のため三次元に傾いた機械加工が必要だった。しかし、前記ノズルの組み付けは、バラつきが発生しやすく、噴射位置がずれてしまうといった課題があった。
【０００５】
本発明は、簡易な構造であるにもかかわらず、方向性を持って要潤滑部にピンポイントでオイルを供給することができる、チェーン潤滑装置を提供することを目的とする。
【課題を解決するための手段】
【０００６】
上記目的を達成するために、本発明のチェーン潤滑装置は、
機関本体に構成されるオイル通路からチェーン室に向かってオイルを噴出するオイルジェット部と、前記噴出されたオイルを所定位置に案内するオイル案内部とを備え、
前記チェーン室は、前記機関本体とカバー体とが合わさって形成されており、
前記オイル案内部は、前記カバー体の、前記オイルジェット部と対向する位置に設けられており、
前記オイル案内部は、前記オイルジェット部から噴出されるオイル噴流を受け止めて、前記オイル噴流の流れの向きを変えて、前記オイル噴流を前記チェーン室内のチェーンとスプロケットとの噛合い部に案内することを特徴とする。
【発明の効果】
【０００７】
本発明のチェーン潤滑装置によれば、簡易な構造であるにもかかわらず、方向性を持って要潤滑部にピンポイントでオイルを供給することができる。
【０００８】
この発明の上述の目的，その他の目的，特徴および利点は、図面を参照して行う以下の実施例の詳細な説明から一層明らかとなろう。
【図面の簡単な説明】
【０００９】
【図１】図１は、本発明の第１の実施形態に係るチェーン潤滑装置の構造を概略的に示した斜視図である。
【図２】図２は、第１の実施形態に係るチェーン潤滑装置におけるオイル案内部を示す図である。図２（ａ）は、図１においてオイルジェット部側から見たオイル案内部の正面図、図２（ｂ）は、図２（ａ）におけるＡ−Ａ方向の断面図である。
【図３】図３は、本発明の第２の実施形態に係るチェーン潤滑装置におけるオイル案内部を示す図である。図３（ａ）は、オイルジェット部側から見たオイル案内部の正面図、図３（ｂ）は、図３（ａ）におけるＢ−Ｂ方向の断面図である。
【発明を実施するための形態】
【００１０】
以下、この発明の実施の形態を、図面を参照しながら説明する。ただし、本発明は、以下の例に限定および制限されない。なお、以下で参照する図面は、模式的に記載されたものであり、図面に描画された物体の寸法の比率などは、現実の物体の寸法の比率などとは異なる場合がある。図面相互間においても、物体の寸法比率等が異なる場合がある。
【００１１】
（第１の実施形態）
図１に、本発明の第１の実施形態に係るチェーン潤滑装置の概要を示す。同図は、前記チェーン潤滑装置の構造を概略的に示した斜視図である。このチェーン潤滑装置は、チェーン室１内に設けられており、オイルジェット部７およびオイルジェット部７から噴出されたオイルを所定位置に案内するオイル案内部５を主要な構成要素として含んでいる。オイルジェット部７は、機関本体（図示せず）に構成されるオイル通路からチェーン室１に向かってオイルを噴出する。チェーン室１は、前記機関本体とカバー体３とが合わさって形成されている。そして、オイル案内部５は、カバー体３の、オイルジェット部７と対向する位置に設けられている。
【００１２】
オイル案内部５は、オイルジェット部７から噴出されるオイル噴流を受け止めて、前記オイル噴流の流れの向きを変えて、前記オイル噴流をチェーン室内１のチェーン９とスプロケット１１との噛合い部１３に案内する。図中の実線矢印は、オイル噴流の方向を表している。
【００１３】
図２は、第１の実施形態に係るチェーン潤滑装置におけるオイル案内部５を示す図である。図２（ａ）は、図１においてオイルジェット部７側から見たオイル案内部５の正面図、図２（ｂ）は、図２（ａ）におけるＡ−Ａ方向の断面図である。オイル案内部５の形状は、オイル噴流を受け止めて、チェーン９とスプロケット１１との噛合い部１３に向けてオイル噴流の向きを変えることができればよく、突起先端部に案内溝５ａが設けられていればよい。カバー体３にオイル案内部５を設ける際に、案内溝５ａの方向が噛合い部１３を向くように配置することで、オイルジェット部７から噴出されたオイルを噛合い部１３に案内することができる。
【００１４】
図２に示すように、オイル案内部５は複雑な形状とする必要がなく、オイル案内部５を設ける際には、例えば、単純な２面割りの型構造でカバー体３に一体成形ができる。また、オイルジェット部７としても、チェーン９とスプロケット１１との噛合い部１３に向けて方向を決めて噴射するために、例えばＬ字ノズルを角度ばらつきを規制して圧入したり、三次元で傾いた軸で噴射口を加工する必要がない。例えば、オイルジェット部７は、シリンダブロックから水平方向（クランク軸線方向）に向けたドリル穴であっても構わない。したがって、本発明のチェーン潤滑装置によると、低コストかつ高精度で噴射方向を決めることができ、潤滑性能に優れたものとすることができる。
【００１５】
（第２の実施形態）
図３は、本発明の第２の実施形態係るチェーン潤滑装置におけるオイル案内部１５を示す図である。図３（ａ）は、オイルジェット部７側から見たオイル案内部１５の正面図、図３（ｂ）は、図３（ａ）におけるＢ−Ｂ方向の断面図である。図中の実線矢印は、オイル噴流の方向を表している。本実施形態におけるオイル案内部１５は、案内溝１５ａに、さらに蓋体１７を取り付け、オイル案内部１５が受けたオイル噴流が飛散することを防止し、噛合い部１３にピンポイントでオイル噴流を当てるようにしたものである。蓋体１７には、開口部１９が設けられ、オイル噴流は開口部１９を通り案内溝１５ａに導入される。このような構成とすることにより、オイル噴流がオイル案内部に当たることによって発生するオイル飛散に起因する潤滑効率の低下を防ぎ、また、ブローバイのオイル持ち去りの増加を抑制することができる。
【符号の説明】
【００１６】
１  …チェーン室
３  …カバー体
５  …オイル案内部
５ａ…案内溝
７  …オイルジェット部
９  …チェーン
１１…スプロケット
１３…噛合い部
１５…オイル案内部
１５ａ…案内溝
１７…蓋体
１９…開口部
【図１】
2019148206.tif 000003
【図２】
2019148206.tif 000004
【図３】
2019148206.tif 000005